(57)【要約】【課題】本発明の目的は、商品販売放送方法を提供することにある。【解決手段】携帯端末３は、ＮＦＣペアリング３０の開設に応じて、商品販売手段の提供を受けるために、放送システム４が放送を通じてテレビジョン２に配信した電子商取引コンテンツ参照情報、ショッピング受付電話番号、ショッピング受付電子メールアドレスのいずれかをＮＦＣペアリング３０を介して受信する過程と、電子商取引コンテンツ参照情報によりサーバ５を参照して電子商取引コンテンツをダウンロードする又はショッピング受付電話番号に電話を掛け通話路を開設する又はショッピング受付電子メールアドレスにメールを送信する過程を制御することを特徴とする。【選択図】図1
2015232784.tif 000002
【特許請求の範囲】
【請求項１】
放送システム（４）は、商品を販売する番組を提供する放送または前記商品を販売するデータ放送を通じて参照情報を配信し、
第１システム（１）は、第２システム（２）の遠隔操作手段を提供するとともに、第３システム（３）との近距離通信手段（３０）を行い、
前記第２システム（２）は、前記放送または前記データ放送を受信する過程と、前記参照情報を前記第３システム（３）側に通知する過程を含み、
前記第３システム（３）は、前記近距離通信手段（３０）の実施に応じて、前記参照情報を取得する過程と、前記参照情報を基にサーバ（５）に接続する過程を含むことを特徴とする商品販売放送方法。
【請求項２】
放送システム（４）は、ショッピング番組を提供する放送を通じてショッピング受付電話番号またはショッピング受付電子メールアドレスを配信する、或いは前記商品を販売するデータ放送を通じて参照情報を配信し、
放送受信システム（２）は、前記放送を受信する過程と、前記ショッピング受付電話番号または前記ショッピング受付電子メールアドレスまたは前記参照情報を端末システム（３）側に通知する過程を含み、
前記端末システム（３）は、前記ショッピング受付電話番号または前記ショッピング受付電子メールアドレスまたは前記参照情報を取得する過程と、前記ショッピング受付電話番号を基に電話を掛け相手側（５）と接続する、或いは前記ショッピング受付電子メールアドレスを基に前記相手側（５）にメールを送信し返信メールを受信する、或いは前記参照情報を基に前記相手側（５）と接続する過程を含むことを特徴とするショッピング番組放送方法。
【請求項３】
前記相手側（５）が電話受付システムまたはメール返信システムを構成することを特徴とする請求項２に記載の商品販売放送方法。
【請求項４】
請求項１ないし３のいずれかに記載の商品販売放送方法を実現させるために用いたことを特徴とするいずれかのシステム。
【請求項５】
コンピュータを、請求項４に記載のいずれかのシステムとして機能させるための制御プログラム。
【発明の詳細な説明】
【技術分野】
【０００１】
本発明は商品販売放送方法に関する。
【背景技術】
【０００２】
従来、商品販売放送方法が知られている。例えば、特開２００６−０９９１５０号公報に記載の技術は、テレビジョンでＵＲＬを構成するＱＲコード（登録商標）を表示し、携帯端末がＱＲコード（登録商標）を読み取り、ＵＲＬに該当するサーバに接続する技術が開示されている。
【先行技術文献】
【特許文献】
【０００３】
【特許文献１】特開２００６−０９９１５０号公報
【発明の概要】
【発明が解決しようとする課題】
【０００４】
ところで、上記の商品販売放送方法は、商品を販売する番組を提供する放送を通じてＵＲＬをテレビジョンに配信し、携帯端末がテレビジョンからＵＲＬを取得するが、視聴者が離れた位置でテレビ番組を視聴しているにもかかわらず、携帯端末のカメラをテレビジョンの画面に近づけてＵＲＬを取得しなければならないと言った問題があった。
また、ＱＲコード（登録商標）の構成がＵＲＬに限定されていると言った問題があった。
また、データ放送を商品販売に用いていないと言った問題があった。
【０００５】
そこで、本発明の目的は、携帯端末がテレビジョンのリモコンとの近距離通信の実施に応じて、商品を販売する番組を提供する放送または商品を販売するデータ放送を通じて配信された参照情報を受取り、参照情報を基にサーバに接続することができる商品販売放送方法を提供することにある。
また、携帯端末が該放送または該データ放送を通じて配信されたショッピング受付電話番号またはショッピング受付電子メールアドレスを受取り、該電話番号に電話を掛け相手側と接続する、或いは該電子メールアドレスにメールを送信し返信メールを受信することができる商品販売放送方法を提供することにある。
また、携帯端末が該放送または該データ放送を通じて配信された参照情報を受取り、参照情報を基にサーバに接続することができる商品販売放送方法を提供することにある。
【課題を解決するための手段】
【０００６】
上記課題を解決するため本発明の商品販売放送方法において、放送システム（４）は、商品を販売する番組を提供する放送または前記商品を販売するデータ放送を通じて参照情報を配信し、第１システム（１）は、第２システム（２）の遠隔操作手段を提供するとともに、第３システム（３）との近距離通信手段（３０）を行い、前記第２システム（２）は、前記放送または前記データ放送を受信する過程と、前記参照情報を前記第３システム（３）側に通知する過程を含み、前記第３システム（３）は、前記近距離通信手段（３０）の実施に応じて、前記参照情報を取得する過程と、前記参照情報を基にサーバ（５）に接続する過程を含むことを特徴とする。
【発明の効果】
【０００７】
本発明によれば、商品販売放送方法は、携帯端末がテレビジョンのリモコンとの近距離通信の実施に応じて、商品を販売する番組を提供する放送または商品を販売するデータ放送を通じて配信された参照情報を受取り、参照情報を基にサーバに接続することができる。
また、携帯端末が該放送または該データ放送を通じて配信されたショッピング受付電話番号またはショッピング受付電子メールアドレスを受取り、該電話番号に電話を掛け相手側と接続する、或いは該電子メールアドレスにメールを送信し返信メールを受信することができる。
また、携帯端末が該放送または該データ放送を通じて配信された参照情報を受取り、参照情報を基にサーバに接続することができる。
【図面の簡単な説明】
【０００８】
【図１】実施形態の商品販売放送システムの構成図の一例である。
【発明を実施するための形態】
【０００９】
以下、本発明の一実施の形態について詳細に説明する。
【００１０】
図１は実施形態の商品販売放送システムの構成図の一例である。例えば、商品販売放送システムは、（ａ）インターネット１０、リモコン１、テレビジョン２、携帯端末３、放送システム４およびサーバ５から構成され、インターネット１０により構成される通信ネットワークに携帯端末３およびサーバ５が接続され、リモコン１が赤外線遠隔操作装置を構成し、送信する一方向の赤外線信号２０によりテレビジョン２を遠隔操作し、テレビジョン２がテレビ局などの放送システム４からテレビ放送電波などを介して送信された商品を販売する番組を提供するテレビ放送または商品を販売するデータ放送を受信して商品販売番組またはデータ放送コンテンツを表示し、放送システム４がショッピング受付電話番号またはショッピング受付電子メールアドレスまたはサーバ５が配信する電子商取引ウェブページのＵＲＬなどの参照情報を含むメタ情報Ｍｄを、テレビ放送またはデータ放送を通じてテレビジョン２に配信し、テレビジョン２がメタ情報Ｍｄを受信して携帯端末３に通知し、携帯端末３がメタ情報Ｍｄを受信する。
【００１１】
また、（ｂ）処理として、携帯端末３のＮＦＣペアリング部がリモコン１のＮＦＣペアリング部にかざされたことに応じて、近距離通信を行うＮＦＣペアリング３０が行われ、リモコン１がＮＦＣペアリング３０を介してテレビジョン２のＭＡＣアドレスＭａを携帯端末３に送信し（ステップＳ０１）、携帯端末３がＭＡＣアドレスＭａに該当するテレビジョン２とBluetooth（登録商標）などの無線通信２１を開始し（ステップＳ０２）、無線通信２１を介してテレビジョン２から携帯端末３にメタ情報Ｍｄが送信される。
【００１２】
また、メタ情報Ｍｄを取得した携帯端末３が、電話回線に接続し、メタ情報Ｍｄに含まれるショッピング受付電話番号に自動的に電話を掛け電話受付システムを構成するサーバ５と接続し、サーバ５に接続されたオペレータ端末との間の通話路が開設される、或いは電話回線に接続し、メタ情報Ｍｄに含まれるショッピング受付電話番号に自動的に電話を掛けウェブサーバを構成するサーバ５と接続し、サーバ５から電子商取引ウェブページの配信を受ける、或いはメタ情報Ｍｄに含まれるショッピング受付電子メールアドレスに該当し、メール返信システムを構成するサーバ５にショートメールを送信し、サーバ５から電子商取引ウェブページのＵＲＬを含む返信ショートメールを受信し、該ＵＲＬを参照して電子商取引ウェブページをダウンロードして表示する、或いはメタ情報Ｍｄに含まれる電子商取引ウェブページのＵＲＬを参照しインターネット１０を介してサーバ５に接続し、サーバ５から電子商取引ウェブページをダウンロードして表示する構成としてもよい。
【００１３】
リモコン１、テレビジョン２、携帯端末３、放送システム４、サーバ５などの装置は、ＣＰＵ、ＲＯＭ、ＲＡＭを有するコンピュータ部を備える。さらに、リモコン１は、赤外線信号送信部、ＮＦＣペアリング部、操作ボタン部などを備え、テレビジョン２は、放送受信部、赤外線信号受信部、無線通信部、表示画面などを備え、携帯端末３は、電話部、電子メール部、ネットワーク通信部、記憶装置、無線通信部、ＮＦＣペアリング部、カメラ部、ディスプレイ、タッチパネルなどを備え、サーバ５は、電話処理部、VoIP処理部、電子メール処理部、記憶装置、ネットワーク通信部などを備える。リモコン１は、双方向無線によりテレビジョン２の遠隔操作などを行う構成としてもよい。リモコン１とテレビジョン２は、例として、リモコン装置とテレビジョン、マウスとパーソナル・コンピュータなどが挙げられる。
【００１４】
上記の実施形態において、リモコン１とテレビジョン２の双方は、ＵＳＢ端子などを備え、双方が接続されることにより、テレビジョン２がリモコン１にＭＡＣアドレスＭａを記憶させる初期設定手段を備える。リモコン１は、利用者のボタン操作により、または、テレビジョン２の製造時にＭＡＣアドレスＭａを記憶させる初期設定手段を備える構成としてもよい。また、電源ボタンなどが押下された場合に、双方向無線などによりテレビジョン２からＭＡＣアドレスＭａを受信して記憶する初期設定手段を備える構成としてもよい。商品販売放送システムは、ＮＦＣペアリング３０を用いる構成を、メタ情報ＭｄをＱＲコード（登録商標）などによりテレビジョン２で表示し、携帯端末３がＱＲコード（登録商標）からメタ情報Ｍｄを取得する構成としてもよい。また、携帯端末３がサーバ５に接続された場合に、携帯端末３から携帯端末３の電話番号や電子メールアドレスなどの利用者特定情報がサーバ５に送信され、サーバ５が利用者特定情報を受信して利用者を特定する構成としてもよい。
【００１５】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の装置と同等の作用および効果が得られる。
【００１６】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００１７】
また、インターネット、ＬＡＮ等のネットワークシステムを介して制御プログラムをダウンロードし、インストールして実行するように構成することも可能である。
【符号の説明】
【００１８】
１…リモコン，２…テレビジョン，３…携帯端末，４…放送システム，５…サーバ，１０…インターネット，２０…赤外線信号，２１…無線通信，３０…ＮＦＣペアリング，Ｍａ…ＭＡＣアドレス，Ｍｄ…メタ情報
【図１】
2015232784.tif 000003
【手続補正書】
【提出日】平成26年12月11日(2014.12.11)
【手続補正２】
【補正対象書類名】特許請求の範囲
【補正対象項目名】全文
【補正方法】変更
【補正の内容】
【特許請求の範囲】
【請求項１】
端末（３）は、ＮＦＣペアリング手段（３０）の開設に応じて、商品販売手段の提供を受けるために、放送システム（４）が放送を通じて放送受信装置（２）に配信した電子商取引コンテンツ参照情報、ショッピング受付電話番号、ショッピング受付電子メールアドレスのいずれかを前記ＮＦＣペアリング手段（３０）を介して受信する過程と、
前記電子商取引コンテンツ参照情報によりサーバ（５）を参照して電子商取引コンテンツをダウンロードする又は前記ショッピング受付電話番号に電話を掛け通話路を開設する又は前記ショッピング受付電子メールアドレスにメールを送信する過程を制御することを特徴とする方法。
【請求項２】
請求項１に記載の方法を実現させるために用いたことを特徴とする放送受信装置（２）。
【請求項３】
請求項１に記載の方法を実現させるために用いた前記放送システム（４）によることを特徴とする方法。
【手続補正３】
【補正対象書類名】明細書
【補正対象項目名】０００６
【補正方法】変更
【補正の内容】
【０００６】
上記課題を解決するため本発明の商品販売放送方法において、端末（３）は、ＮＦＣペアリング手段（３０）の開設に応じて、商品販売手段の提供を受けるために、放送システム（４）が放送を通じて放送受信装置（２）に配信した電子商取引コンテンツ参照情報、ショッピング受付電話番号、ショッピング受付電子メールアドレスのいずれかを前記ＮＦＣペアリング手段（３０）を介して受信する過程と、前記電子商取引コンテンツ参照情報によりサーバ（５）を参照して電子商取引コンテンツをダウンロードする又は前記ショッピング受付電話番号に電話を掛け通話路を開設する又は前記ショッピング受付電子メールアドレスにメールを送信する過程を制御することを特徴とする。